(57)【要約】【課題】簡易な構成で耐久性を維持しつつアタッチメントの落下の恐れを回避でき、アタッチメントをカットアウトに対してスムーズにアプローチすることが可能なアタッチメント仮支持クリートを提供する。【解決手段】アタッチメント仮支持クリートは、カットアウトが複数併設されたカットアウト用アームを固定する支持アームに対して着脱自在に固定する固定手段と、アタッチメントを仮支持する仮支持体とが一体化して構成されている。仮支持体は、カットアウト用アームと略平行に延設されると共に、カットアウト用アームと対向する側の面にアタッチメントを係止する係止凹部を有して構成されている。また、取付板は、係止凹部が上側を向くように鉛直面に対して傾斜するように設けられる。【選択図】    図６
2016115449.tif 000002
【特許請求の範囲】
【請求項１】
カットアウトが複数併設されたカットアウト用アームを固定する支持アームに対して着脱自在に固定する固定手段と、アタッチメントを仮支持する仮支持体とが一体化されて構成されるアタッチメント仮支持クリートであって、
前記固定手段で前記支持アームに固定された状態において、
前記仮支持体は、前記カットアウト用アームと略平行に延設される取付板を備え、
この取付板は、前記カットアウト用アームと対向する側の面に前記アタッチメントを係止する係止凹部を有すると共に、前記係止凹部が上側を向くように鉛直面に対して傾斜されている
ことを特徴とするアタッチメント仮支持クリート。
【請求項２】
前記固定手段は、立設板を境にして一方の側に設けられ、前記支持アームに掛止させる掛止部と、この掛止部に対向配置された座板部と、この座板部に螺進退可能に取り付けられ、操作棒に接続するための接続金具を下端に備えると共に上端に前記支持アームを前記掛止部との間で固定可能とする抜け止め部材を備えたネジ棒とを有して構成され、
前記仮支持体は、前記立設板を境にして他方の側に設けられ、前記取付板は、鉛直面に対して傾斜させた第1の傾斜板部とこの第１の傾斜板部に対して立設されると共に前記係止凹部が前記取付板の延設方向に複数並設された第２の傾斜板部とを有して構成されることを特徴とする請求項１記載のアタッチメント仮支持クリート。
【請求項３】
前記取付板の前記係止凹部よりも下方の部位には、前記アタッチメントの中間部を嵌め入れる位置決め凹部を備えた位置決め部材が設けられていることを特徴とする請求項１又は２記載のアタッチメント仮支持クリート。
【請求項４】
前記取付板の前記固定手段から遠ざかる端部近傍の下部には、前記アタッチメントの課電ケーブルを掛ける孔が形成されていることを特徴とする請求項１乃至３のいずれかに記載のアタッチメント仮支持クリート。
【発明の詳細な説明】
【技術分野】
【０００１】
本発明は、架空配電線の地絡事故点の探査時にカットアウト（三相３線式高圧開閉器） に接続するためのアタッチメントをカットアウトの近傍において仮支持させるために用いる支持部材（アタッチメント仮支持クリート）に関する。
【背景技術】
【０００２】
配電柱に設けられた変圧器に接続される開閉式のカットアウトは、配電柱に取り付けられた支持アーム（腕金）の先端部に略直交するように取り付けられたカットアウト用アームに支持されており、架空配電線の地絡事故点の探査時においては、絶縁操作棒によってカットアウトの蓋体を開いた状態とし、各相に設けられたカットアウトに接続するためのアタッチメント（３本）をアタッチメント仮支持クリートにセットし、絶縁作業棒を用いてそのアタッチメント仮支持クリートを支持アームの中間部に掛止させて固定し、その状態から、逐次、絶縁作業棒でアタッチメントを１本ずつ取り外して各相のカットアウトに差し込み接続する作業が行われる。
【０００３】
そのようなアタッチメント仮支持クリート１としては、従来、図７に示されるように、アルミ合金材等からなる取付板１００の前面上部に、アタッチメントの上部を引っ掛けるための凹部１０１を設け、その直下の位置に、アタッチメントの中間部を嵌め込むための略Ｕ字状に形成された受け部材１０２を設け、また、取付板１００の背面上部に、ＰＣ支持アームに掛止させるための方形枠状に形成された掛止部材１０３を設け、取付板１００の背面下部に、絶縁作業棒に接続するためのジョイント金具１０４を下端に有するネジ棒１０５を螺進退可能に取り付けた座板１０６を設けて構成されていた（特許文献１の図６参照）。
【先行技術文献】
【特許文献】
【０００４】
【特許文献１】特開２００６−３１８７２０号公報
【発明の概要】
【発明が解決しようとする課題】
【０００５】
しかしながら、従来の仮支持クリート１は、凹部１０１や受け部材１０２を水平にした状態でアタッチメントを仮支持させるものであるため、アタッチメント（３本）をアタッチメント仮支持クリートにセットした後に、絶縁作業棒を用いてそのアタッチメント仮支持クリートを支持アームにアプローチする際に少しでも衝動を与えたり、凹部１０１や受け部材１０２の開放側が下を向くように斜めにしたりすると、アタッチメントが落下する不都合がある。
【０００６】
また、従来の仮支持クリート１は、支持アーム５に掛止させる掛止部材１０３がアタッチメント仮支持クリート１の背面中央に設けられ、図８に示されるように、取付板１００を支持アーム５に沿って平行に取り付ける構成となっているので、カットアウト２０が取り付けられるカットアウト用アーム１５の延設方向に対して略垂直方向に取り付けられる。
【０００７】
このため、アタッチメント２１は、これを取り付けるカットアウト２０の並設方向と直交する方向に並べて仮支持されるため、各アタッチメント２１をカットアウト２０にスムーズにアプローチすることができないものであった。しかも、アタッチメント２１をカットアウト２０にアプローチする際に、他のアタッチメント２１の課電ケーブル２２等と接触しやすい状態であるため、接触した際の振動でアタッチメント２１が落下する恐れもある。
【０００８】
このような落下の恐れを回避するために、例えば、前記特許文献１に示されるように、仮支持体を弾発性を有する絶縁性素材で形成し、アタッチメントを弾発力の作用で挟持させた状態で仮支持するようにした仮支持クリートも提案されているが、絶縁性素材の仮支持体が別途必要となるため、構造の複雑化を招き、また、金物だけで仮支持クリートを構成することができないので、耐久性の低下も懸念されるものであった。
【０００９】
本発明は係る事情に鑑みてなされたものであり、簡易な構成で耐久性を維持しつつアタッチメントの落下の恐れを回避できるようにすると共に、アタッチメントをカットアウトに対してスムーズにアプローチすることが可能なアタッチメント仮支持クリートを提供することを主たる課題としている。
【課題を解決するための手段】
【００１０】
上記課題を達成するために、本発明のアタッチメント仮支持クリートは、カットアウトが複数併設されたカットアウト用アームを固定する支持アームに対して着脱自在に固定する固定手段と、アタッチメントを仮支持する仮支持体とが一体化されて構成されるアタッチメント仮支持クリートであって、前記固定手段で前記支持アームに固定された状態において、前記仮支持体は、前記カットアウト用アームと略平行に延設される取付板を備え、この取付板は、前記カットアウト用アームと対向する側の面に前記アタッチメントを係止する係止凹部を有すると共に、前記係止凹部が上側を向くように鉛直面に対して傾斜されていることを特徴としている。
【００１１】
したがって、このような構成によれば、アタッチメント仮支持クリートの仮支持体を構成する取付板が、係止凹部が上側を向くように鉛直面に対して傾斜して設けられるので、この取付板の係止凹部にアタッチメントを仮支持すれば、格別な部材を設けなくても、アタッチメントを自重によって仮支持体にしっかり支持させることが可能となり、また、振動等により脱落の恐れを低減することが可能となる。
【００１２】
また、仮支持体が、カットアウト用アームと略平行に延設されると共にカットアウト用アームと対向する側の面に係止凹部が設けられた取付板を有して構成されるので、アタッチメントをカットアウトと向かい合わせる位置で仮支持することが可能となり、アタッチメントを仮支持体の係止凹部からカットアウトへスムーズにアプローチすることが可能となる。
【００１３】
なお、上述の構成において、取付板の係止凹部よりも下方の部位には、アタッチメントの中間部を嵌め入れる位置決め凹部を備えた位置決め部材を設けるようにするとよい。
このような構成とすれば、アタッチメントの中間部を位置決め部材の凹部に嵌め込むことで、アタッチメント の仮支持状態をより安定化させることが可能となる。
【００１４】
また、取付板の固定手段から遠ざかる端部近傍の下部に、アタッチメントの課電ケーブルを掛ける孔を設けるようにしてもよい。
このような構成とすれば、アタッチメントの課電ケーブルを孔に掛けることで、アタッチメントにかかる荷重を低減することができ、また、カットアウトが支持アームの両側に取り付けられているような場合でも、孔に掛けた課電ケーブルがアタッチメントを支持アームを跨いで移動させる際に邪魔になる不都合を回避することが可能となる。
【発明の効果】
【００１５】
以上述べたように、本発明に係るアタッチメント仮支持クリートによれば、アタッチメントを直立させるのではなく、斜めに仮支持することができるので、振動や課電ケーブルの干渉によってアタッチメントが落下する恐れを防ぐことが可能となる。
【００１６】
しかも、取付板の係止凹部にアタッチメントを仮支持すれば、格別な部材を設けなくても、アタッチメントを自重によって仮支持体にしっかり支持させることが可能となるので、アタッチメントの脱落を防止するために別部材を設ける必要がなく、簡易な構成で耐久性を維持することが可能となる。
また、アタッチメントをカットアウトに対して向かい合わせるように仮支持することができるので、アタッチメントを仮支持体からカットアウトへスムーズにアプローチすることが可能となる。
【図面の簡単な説明】
【００１７】
【図１】図１は、本発明に係るアタッチメント仮支持クリートを示す図であり、仮支持体から見た側面図である。
【図２】図２は、本発明に係るアタッチメント仮支持クリートを示す図であり、（ａ）は、アタッチメント仮支持クリートを図１のＡで示す矢視方向から見た図であり、（ｂ）は、アタッチメント仮支持クリートを図１のＢで示す矢視方向から見た図である。
【図３】図３は、アタッチメントを本発明に係るアタッチメント仮支持クリートに取り付けた状態を正面から見た図である。
【図４】図４は、アタッチメントを本発明に係るアタッチメント仮支持クリートに取り付けた状態を仮支持体からから見た図である。
【図５】図５は、本発明に係るアタッチメント仮支持クリートに仮支持されるアタッチメントとカットアウトとの位置関係を説明する図である。
【図６】図６は、本発明に係るアタッチメント仮支持クリートに仮支持されたアタッチメントをカットアウトに装着する作業を示す斜視図である。
【図７】図７は、従来のアタッチメント仮支持クリートを示す図であり、（ａ）は正面から見た図、（ｂ）は側方から見た図である。
【図８】図８は、従来のアタッチメント仮支持クリートに仮支持されるアタッチメントとカットアウトとの位置関係を説明する図である。
【発明を実施するための形態】
【００１８】
以下、本発明のアタッチメント仮支持クリートについて添付図面を参照して説明する。
【００１９】
図１乃至図５において、アタッチメント仮支持クリート１は、その全体がアルミ等の硬質金属材で構成されているもので、カットアウト２０を複数併設したカットアウト用アーム１５が先端部に固定された支持アーム５に対して着脱自在に固定する固定手段２と、アタッチメント２１を仮支持する仮支持体３と、が一体に形成されて構成されている。
【００２０】
固定手段２は、立設板４を境にして一方の側に設けられているもので、支持アーム５に掛止させる掛止部６と、この掛止部６に対向配置された座板部７と、この座板部７に螺進退可能に取り付けられたネジ棒８とを有して構成されている。
【００２１】
これら掛止部６や座板部７は、板状に形成されているもので、立設板４に対して略垂直に形成されている。なお、係止部６や座板部７は、立設板４に対して一体に形成されるものであっても、溶接等で固着されるものであってもよい。
【００２２】
ネジ棒８は、操作棒の先端部を接続するための接続金具９を下端に備えると共に上端に支持アーム５を掛止部６との間で挟持可能とする抜け止め部材１０を備えており、接続金具９に操作棒を接続して回転させることで抜け止め部材１０を上下に螺進退させるようにしている。
【００２３】
これに対して、仮支持体３は、立設板４を境にして他方の側に設けられ、立設板４に対して係止部６や座板部７が延設された方向と反対方向に延設された取付板１１を有し、この取付板１１に係止凹部１２および位置決め部材１３を設けて構成されている。
【００２４】
取付板１１は、前記ネジ棒８の軸線（鉛直線）と立設板４の垂線を含む平面（鉛直面）に対して傾斜させた第1の傾斜板部１１ａとこの第１の傾斜板部１１ａに対して垂直に立設された第２の傾斜板部１１ｂとを一体化させたもので、第１の傾斜板部１１ａは、この例では、立設板４の対角線上に固定されている（鉛直面に対して略４５度傾けられて固定されている）。また、第２の傾斜板部１１ｂは、第１の傾斜板部１１ａの上端縁から斜め上方に向けて延設され、この例では、鉛直面に対して略４５度傾けた状態で固定されている。
この取付板１１も立設板４に対して一体に形成されるものであっても、溶接等で固着されるものであってもよい。
【００２５】
第２の傾斜板部１１ｂには、アタッチメント２１の上部の鍔部２１aを係止させる係止凹部１２が取付板１１の延設方向に複数並設（この例では、３つ並設）されている。この係止凹部１２は、アタッチメント上部の鍔部２１ａを掛止させることができるようにアタッチメント２１の鍔２１ａより下側の部分の径に合わせた横幅を有し、アタッチメント２１の側面がフィットするように円弧状に形成されている。
【００２６】
また、それぞれの係止凹部１２の下側となる第１の傾斜板部１１ａの中程には、アタッチメント２１の中間部を嵌め入れる位置決め凹部１３ａを備えた略Ｕ字形状の位置決め部材１３が立設されている。
【００２７】
したがって、カットアウト用アーム１５は、図５及び図６に示されるように、支持アーム５に対して略垂直に、かつ、水平に固定されているので、アタッチメント仮支持クリート１を、係止凹部１２や位置決め部材１３をカットアウト用アーム１５（カットアウト２０）側に向けて固定手段２によって支持アーム５に固定すると、仮支持体３の取付板１１は、カットアウト用アーム１５と略平行に延設された状態で固定されることになり、また、アタッチメント２１は、その上部を第２の傾斜板部１１ｂの係止凹部１２に係止すると共に、その中間部を第１の傾斜板部１１ａの位置決め部材１３に嵌め入れることで、カットアウト用アーム１５（カットアウト２０）と対向した位置で、且つ、第１の傾斜板部１１ａに沿って傾斜した状態で取り付けられることになる（図３，４参照）。
【００２８】
なお、取付板１１の第１の傾斜板部１１ａの終端部の下側隅部（立設板４（固定手段２）から遠ざかる端部近傍の下部）には、課電ケーブル２２に付属の図示しないフックを引っ掛けてアタッチメント１にかかる荷重を低減するための孔１４が形成されている。
【００２９】
以上の構成において、次に、図５及び図６に示されるように、カットアウト２０が支持アーム５を境にして一方の側に２つ、他方の側に１つ（計３つ）設けられている場合について、アタッチメントを各カットアウトに接続する作業について説明する。
【００３０】
まず、絶縁操作棒によってカットアウト２０の蓋体２０ａを開いた状態とし、各カットアウト２０に接続するためのそれぞれのアタッチメント２１（３本）をアタッチメント仮支持クリートの仮支持体にセットすると共に固定手段の接続金具に絶縁操作棒の先端部を接続する。この状態においては、各アタッチメント２１は、仮支持体３の係止凹部１２と位置決め部材１３に係止されると共に、自重によってこれら係止凹部１２や位置決め部材１３に押し付けられつつ取付板１１の第１の傾斜板部１１ａに沿うように取り付けられることとなる。
【００３１】
そして、絶縁作業棒を持ち上げてアタッチメント仮支持クリート１の固定手段２を支持アーム５に近づけ、取付板１１の支持凹部１２が設けられた側をカットアウト用アームと対向させた状態で掛止部６と座板部７との間に支持アーム５を挿入し、掛止部６を支持アーム５に掛止させた後に、絶縁操作棒を回して抜け止め部材１０を上昇させ、掛止部６と抜け止め部材１０との間で支持アーム５を強固に締め付け固定する。
【００３２】
なお、このような作業と相前後してアタッチメント２１の課電ケーブル２２に設けられたフックを孔１４に引っ掛け、アタッチメントにかかる荷重を低減させる。
【００３３】
その後、絶縁作業棒を接続金具９から一旦外し、各アタッチメント２１のジョイント金具に逐次連結し、アタッチメント２１を１本ずつ仮支持体３から取り外して向かい側にあるカットアウト２０に差し込み接続すれば、事故点探査装置３０から電圧が印加できる状態となる。
【００３４】
このような一連の作業において、上述したアタッチメント仮支持クリート１を用いることで、アタッチメント２１がアタッチメント仮支持クリート１に仮支持されている状態においては、図３，４に示されるように、アタッチメント２１が傾斜した状態でアタッチメント仮支持クリート１に掛止されるので、振動により落下することがなく、また、アタッチメント仮支持クリート１を支持アーム５に取り付けた状態でアタッチメント２１を仮支持体３（係止凹部１２や位置決め部材１３）からカットアウト２０に移す場合において、他のアタッチメント２１の課電ケーブル等に接触しても、他のアタッチメント２１が落下することを防ぐことが可能となる。
【００３５】
さらに、アタッチメント仮支持クリート１（取付板１１）は、カットアウト２０と向かい合うようにカットアウト用アーム１５に対して略平行（支持アーム５に対して略垂直に）延設されているので、アタッチメント２１のカットアウト２０へのアプロートがスムーズに行え、また、課電ケーブル２２同士が干渉する事態を低減することが可能となる。
【００３６】
しかも、取付板１１の固定手段２から遠ざかる端部近傍の下部に設けられた孔１４に課電ケーブル２２を掛けるようにしているので、カットアウト２０が支持アーム５の両側に取り付けられているような場合でも、孔１４に掛けた課電ケーブル２２がアタッチメント２１を支持アーム５を跨いで移動させる際に邪魔になる不都合を回避することが可能となる。
【００３７】
なお、上記構成においては、電柱側からカットアウト２０を見た場合に、アタッチメント仮支持クリート２１を支持アーム５の右側に取り付けた例を示したが、図２で示すアタッチメント仮支持クリート１を左右反転させた構成とし、電柱から見てアタッチメント仮支持クリート１を支持アーム５の左側に取り付けるようにしてもよい。
【符号の説明】
【００３８】
１  アタッチメント仮支持クリート
２  固定手段
３  仮支持体
５  支持アーム
１１  取付板
１５  カットアウト用アーム
２０  カットアウト
２１  アタッチメント
【図１】
2016115449.tif 000003
【図２】
2016115449.tif 000004
【図３】
2016115449.tif 000005
【図４】
2016115449.tif 000006
【図５】
2016115449.tif 000007
【図６】
2016115449.tif 000008
【図７】
2016115449.tif 000009
【図８】
2016115449.tif 000010